(57)【要約】【課題】  抗張線からケーブルハンガーを撤去する際の作業性及び安全性を改善したケーブルハンガー取り外し工具を提供する。【解決手段】  Ｕ字状のケーブル保持部３２から延長する一対のフック３３ａ，３３ｂをメッセンジャーワイヤＷ（抗張線）に対して係合させたケーブルハンガー３１をメッセンジャーワイヤＷから取り外すための工具である。メッセンジャーワイヤＷに沿って走行自在な移動体１に、ケーブルハンガー３１のケーブル保持部３２に当接して前方側のフック３３ａの係合状態を解除する押圧板１３と、メッセンジャーワイヤＷから外れた前方側のフック３３ａをメッセンジャーワイヤＷの下方に押し込む押込板１４とを設ける。【選択図】  図２
2005086912.tif 000002
【特許請求の範囲】
【請求項１】
Ｕ字状のケーブル保持部から延長する一対のフックを抗張線に対して係合させたケーブルハンガーを該抗張線から取り外すための工具であって、前記抗張線に沿って走行自在な移動体に、前記ケーブルハンガーのケーブル保持部に当接して前方側のフックの係合状態を解除する押圧板と、前記抗張線から外れた前方側のフックを該抗張線の下方に押し込む押込板とを設けたケーブルハンガー取り外し工具。
【請求項２】
前記移動体における前記押圧板の後方に、前記抗張線に沿って摺動自在であって前記ケーブルハンガーの後方側のフックの係合状態を解除する楔部材を配設した請求項１に記載のケーブルハンガー取り外し工具。
【発明の詳細な説明】
【技術分野】
【０００１】
本発明は、抗張線に装着されたケーブルハンガーを撤去するための工具に関し、さらに詳しくは、その作業性及び安全性を向上するようにしたケーブルハンガー取り外し工具に関する。
【背景技術】
【０００２】
一般に、通信用ケーブルやテレビ用ケーブル等の各種ケーブルを架設する場合、電柱間にメッセンジャーワイヤ（抗張線）を張設し、このメッセンジャーワイヤに対してケーブルハンガーと呼ばれる金属製吊具を５０〜６０ｃｍの間隔で取り付け、これらケーブルハンガーでケーブルを懸架するようにしている。
【０００３】
これに対して、近年では、ケーブル架設工事を簡略化する手法として、塑性変形可能なコイルを用いることが提案されている。このコイルを用いてケーブルを架設する場合、メッセンジャーワイヤの廻りにコイルを配置し、そのコイルをメッセンジャーワイヤに沿って伸長させると同時にコイルの内側にケーブルを延線し、そのまま固定することが可能であるので、ケーブルの架設作業性を著しく向上することができる。
【０００４】
しかしながら、既存のケーブルを架け替えたり、ケーブルを増設するにあたって、メッセンジャーワイヤにケーブルハンガーが取り付けられていると、上記コイルを用いたケーブル架設工事を行うことは極めて困難である。そのため、コイルを用いたケーブル架設工事に先駆けてメッセンジャーワイヤからケーブルハンガーを撤去することが必要である（例えば、特許文献１参照）。ところが、現状では高所作業車を用いて作業者がケーブルハンガーを１つずつ手で外しているため、その作業性が悪く、安全性も低い。その結果、既存のケーブルハンガーがコイルを用いたケーブル架設工事の普及を妨げている。
【０００５】
また、ケーブルハンガーの撤去を簡略化する手段として、メッセンジャーワイヤに沿って摺動自在な楔部材を備えた移動体をメッセンジャーワイヤ上で走行させ、その楔部材によってケーブルハンガーの後方側のフックの係合状態を解除することが提案されているが、このような工具は実用性に乏しいものであった。
【０００６】
通常、ケーブルハンガーは折り曲げ量が大きいフック（以下、閉フックという）と折り曲げ量が小さいフック（以下、開フックという）とを備えており、メッセンジャーワイヤに対して閉フックを先に係合させてから開フックを係合させ、またメッセンジャーワイヤから開フックを外してから閉フックを外すようになっている。つまり、開フックは外れ易いものの、閉フックは外れ難いのである。そのため、移動体の進行方向に対して閉フックが後方側に配置されている場合、楔部材では閉フックの係合状態を解除することができないのである。しかも、ケーブルハンガーの取り付け方向は必ずしも一定ではない。従って、前述したケーブルハンガー取り外し工具では、ケーブルハンガーの撤去作業を連続的かつ確実に行うことが困難である。
【特許文献１】特開２０００−１３４７４０号公報
【発明の開示】
【発明が解決しようとする課題】
【０００７】
本発明の目的は、抗張線からケーブルハンガーを撤去する際の作業性及び安全性を向上することを可能にしたケーブルハンガー取り外し工具を提供することにある。
【課題を解決するための手段】
【０００８】
上記目的を達成するための本発明のケーブルハンガー取り外し工具は、Ｕ字状のケーブル保持部から延長する一対のフックを抗張線に対して係合させたケーブルハンガーを該抗張線から取り外すための工具であって、前記抗張線に沿って走行自在な移動体に、前記ケーブルハンガーのケーブル保持部に当接して前方側のフックの係合状態を解除する押圧板と、前記抗張線から外れた前方側のフックを該抗張線の下方に押し込む押込板とを設けたことを特徴とするものである。
【発明の効果】
【０００９】
本発明では、メッセンジャーワイヤ等の抗張線に沿って移動体を走行させると、押圧板がケーブルハンガーのケーブル保持部に当接して前方側のフックの係合状態を解除し、押込板が抗張線から外れた前方側のフックを該抗張線の下方に押し込むことにより、ケーブルハンガーを抗張線から取り外すことができる。これにより、抗張線に取り付けられた多数のケーブルハンガーを連続的かつ確実に撤去することができる。また、移動体はロープ等を用いて地上から操作することが可能である。従って、抗張線からケーブルハンガーを撤去する際の作業性及び安全性を向上することができる。
【００１０】
本発明において、移動体における押圧板の後方には、抗張線に沿って摺動自在であってケーブルハンガーの後方側のフックの係合状態を解除する楔部材を配設することが好ましい。押圧板と押込板によるケーブルハンガーの取り外しが不完全であった場合、上記楔部材がケーブルハンガーの取り外しを補助する。
【発明を実施するための最良の形態】
【００１１】
以下、本発明について添付の図面を参照して具体的に説明する。
【００１２】
図１〜図５は本発明の実施形態からなるケーブルハンガー取り外し工具を示し、図６はメッセンジャーワイヤ（抗張線）に取り付けられたケーブルハンガーを示すものである。      
【００１３】
ケーブルハンガー３１は、図６に示すように、Ｕ字状のケーブル保持部３２と、該ケーブル保持部３２から延長する一対のフック３３ａ，３３ｂとを備え、ケーブル保持部３２でケーブルＣを保持しつつフック３３ａ，３３ｂをメッセンジャーワイヤＷに係合するようになっている。ケーブル保持部３２及びフック３３ａ，３３ｂは金属ワイヤから一体的に成形されている。また、ケーブル保持部３２にはケーブルＣへの応力集中を回避するために合成樹脂製のケーブル受け３４が取り付けられている。
【００１４】
ケーブルハンガー３１において、フック３３ａ，３３ｂは互いに反対方向に折り曲げられている。そして、フック３３ａ（開フック）の折り曲げ量はフック３３ｂ（閉フック）の折り曲げ量よりも小さくなっている。このように構成されるケーブルハンガー３１は、一般には、メッセンジャーワイヤＷに対して閉フックを先に係合させてから開フックを係合させ、またメッセンジャーワイヤＷから開フックを外してから閉フックを外すものである。
【００１５】
図１〜図３に示すように、本実施形態のケーブルハンガー取り外し工具は、メッセンジャーワイヤＷに沿って走行自在な移動体１を備えている。この移動体１は、メッセンジャーワイヤＷの上を走行する前後一対の滑車２，３をメッセンジャーワイヤＷの長さ方向に延長するフレーム４で連結したものである。また、フレーム４の後方にはブラケット５を介して滑車６が取り付けられている。この滑車６はメッセンジャーワイヤＷの下側に配置されている。つまり、滑車３と滑車６とがメッセンジャーワイヤＷを挟み込むようになっている。
【００１６】
前後一対の滑車２，３の相互間において、フレーム４には、前方側の取り外し部材１１と、後方側の取り外し部材２１とが取り付けられている。前方側の取り外し部材１１は、フレーム４に固定された側板１２と、該側板１２からメッセンジャーワイヤＷ側へ屈曲する押圧板１３と、メッセンジャーワイヤＷの長さ方向に延長するように押圧板１３に取り付けられた押込板１４とから構成されている（図４参照）。
【００１７】
押圧板１３は、ケーブルハンガー３１のケーブル保持部３２に当接する位置まで延在し、かつ後方側に傾いている。例えば、メッセンジャーワイヤＷの長さ方向に対する押圧板１３の傾斜角度θは３０°〜９０°、より好ましくは４０°〜８０°に設定すると良い。このような押圧板１３は移動体１の前進に伴ってケーブル保持部３２に当接し、ケーブルハンガー３１を押し上げて前方側のフック３３ａの係合状態を解除する。一方、押込板１４は、メッセンジャーワイヤＷから外れた前方側のフック３３ａをメッセンジャーワイヤＷの下方に押し込むように作用する。
【００１８】
後方側の取り外し部材２１は、フレーム４に固定された枠体２２と、該枠体２２に取り付けられた楔部材２３とから構成されている。楔部材２３は、尖端がメッセンジャーワイヤＷ上に配置され、その尖端から徐々に幅が広がっている。また、楔部材２３は、図５に示すように、メッセンジャーワイヤＷの外周の一部を包み込むように加工され、メッセンジャーワイヤＷに沿って摺動自在になっている。このような楔部材２３は移動体１の前進に伴ってケーブルハンガー３１の後方側のフックの係合状態を解除する。但し、楔部材２３はケーブルハンガー３１の後方側にフック３３ａ（開フック）が配置されている場合に機能する。この後方側の取り外し部材２１は必ずしも必要ではない。
【００１９】
移動体１の周囲には、メッセンジャーワイヤＷから外れたケーブルハンガー３１を捕集するためのネットや網等の捕集部材７が配置されている。この捕集部材７は適宜の骨組みを介してフレーム４等に連結することができるが、ここでは具体的な説明を省略する。また、前方側の滑車２にはリング８が取り付けられている。このリング８にロープ９を連結することにより、メッセンジャーワイヤＷに沿って走行する移動体１を地上から操作することができる。移動体１には適宜の錘を配設し、走行時の安定性を確保することが望ましい。
【００２０】
次に、上述したケーブルハンガー取り外し工具の使用方法について説明する。既存のケーブルＣを架け替えたり、ケーブルＣを増設するにあたって、メッセンジャーワイヤＷにケーブルハンガー３１が取り付けられていると、コイルを用いたケーブル架設工事（一束化工事）を行うことは極めて困難である。そこで、コイルを用いたケーブル架設工事に先駆けてメッセンジャーワイヤＷからケーブルハンガー３１を撤去すること必要がある。
【００２１】
先ず、メッセンジャーワイヤＷの上に滑車２，３を置き、移動体１をメッセンジャーワイヤＷに沿って走行可能な状態にする。そして、移動体１に連結されたロープ９を地上から引っ張ることにより、移動体１をメッセンジャーワイヤＷに沿って走行させる。移動体１が前進すると、前方側の取り外し部材１１がケーブルハンガー３１に近づくことになる（図２参照）。
【００２２】
移動体１が更に前進すると、図７に示すように、押圧板１３がケーブル保持部３２に当接し、ケーブルハンガー３１を押し上げて前方側のフック３３ａの係合状態を解除する。移動体１が更に前進すると、図８に示すように、押込板１４がメッセンジャーワイヤＷから外れた前方側のフック３３ａをメッセンジャーワイヤＷの下方に押し込む。これにより、ケーブルＣを支えているケーブルハンガー３１は勢い良くメッセンジャーワイヤＷから外れることになる。
【００２３】
また、ケーブルハンガー３１のフック３３ａ（開フック）が後方側に配置され、フック３３ｂ（閉フック）が前方側に配置されている場合であっても、上記と同様にしてケーブルハンガー３１を取り外すことが可能である。但し、ケーブルハンガー３１が前方側の取り外し部材１１を通過しても依然としてメッセンジャーワイヤＷに係合している場合、そのようなケーブルハンガー３１は後方側の取り外し部材１１によって確実に取り除かれる。
【００２４】
移動体１はメッセンジャーワイヤＷに沿って一方の電柱から他方の電柱まで走行し、電柱間に存在する全てのケーブルハンガー３１を取り外し、これらケーブルハンガー３１を捕集部材７内に収容する。これにより、抗張線からのケーブルハンガーの撤去作業を安全かつ効率良く行うことができる。
【００２５】
本発明のケーブルハンガー取り外し工具は、上記実施形態の構成に限定されるものではなく、抗張線に沿って走行自在な移動体に対して、ケーブルハンガーのケーブル保持部に当接して前方側のフックの係合状態を解除する押圧板と、抗張線から外れた前方側のフックを該抗張線の下方に押し込む押込板とを設けたものであれば良い。また、本発明のケーブルハンガー取り外し工具は、専らケーブルハンガーの取り外しを行うものであっても良く、或いは、ケーブル架設装置と組み合わせたものであっても良い。
【図面の簡単な説明】
【００２６】
【図１】本発明の実施形態からなるケーブルハンガー取り外し工具を示す正面図である。
【図２】本発明の実施形態からなるケーブルハンガー取り外し工具を示す平面図である。
【図３】本発明の実施形態からなるケーブルハンガー取り外し工具を示す側面図である。
【図４】本発明のケーブルハンガー取り外し工具の前方側の取り外し部材を示す斜視図である。
【図５】図２のＸ−Ｘ矢視断面図である。
【図６】メッセンジャーワイヤに取り付けられたケーブルハンガーを示す側面図である。
【図７】メッセンジャーワイヤから前方側のフックが外れた状態のケーブルハンガーを示す平面図である。
【図８】メッセンジャーワイヤから外れた前方側のフックがメッセンジャーワイヤの下方に押し込まれた状態のケーブルハンガーを示す平面図である。
【符号の説明】
【００２７】
１  移動体
２，３，６  滑車
４  フレーム
５  ブラケット
７  捕集部材
８  リング
９  ロープ
１１  前方側の取り外し部材
１２  側板
１３  押圧板
１４  押込板
２１  後方側の取り外し部材
２２  枠体
２３  楔部材
３１  ケーブルハンガー
３２  ケーブル保持部
３３ａ，３３ｂ  フック
３４  ケーブル受け
Ｃ  ケーブル
Ｗ  メッセンジャーワイヤ
【図１】
2005086912.tif 000003
【図２】
2005086912.tif 000004
【図３】
2005086912.tif 000005
【図４】
2005086912.tif 000006
【図５】
2005086912.tif 000007
【図６】
2005086912.tif 000008
【図７】
2005086912.tif 000009
【図８】
2005086912.tif 000010